(57)【要約】【課題】遊技機に隣接したメダル貸機にメダルを遊技機のメダル投入口へ搬送するメダル移送装置を設け、メダル移送装置のメダル案内シュートから遊技機のメダル投入部へメダルを移送する場合、メダル案内シュートのメダル出口が遊技機のメダル投入口に対応した位置に調節可能となるメダル出口を備えた出口部材を回動可能に設ける。【解決手段】メダル案内シュートの先端の保持部にメダル出口を備えた出口部材が左右回動可能に組み合わされ、保持部と出口部材を縦方向に貫通するロック部材を備え、ロック部材とロック部材が貫通する出口部材の相対する面には相互に嵌合し合う複数の縦方向筋を備え、ロック部材の第１位置では縦方向筋の嵌合が解除し、ロック部材の第２位置では縦方向筋の相互嵌合によって出口部材が保持部に固定されること。【選択図】図５
2007202602.tif 000002
【特許請求の範囲】
【請求項１】
メダル収容部の底部に設けたメダル払い出し盤の回転によってその周辺のメダル送出口からメダルを１枚ずつ送出するメダル送出装置と、前記メダル送出口から送出される遊技メダルを上方へ搬送するリフト装置と、このリフト装置にて搬送されたメダルを遊技機の前面に設けたメダル投入部へ先端のメダル出口から導入するメダル案内シュートを備えたメダル移送装置であって、前記メダル案内シュートの先端の保持部には前記メダル出口を備えた出口部材が左右回動可能に組み合わされ、前記保持部に対して前記出口部材を所定位置に位置決めする状態と、前記保持部に対して前記出口部材を回動自由とする状態とに操作するロック部材を設けたことを特徴とする遊技メダル貸機用メダル移送装置。
【請求項２】
メダル収容部の底部に設けたメダル払い出し盤の回転によってその周辺のメダル送出口からメダルを１枚ずつ送出するメダル送出装置と、前記メダル送出口から送出される遊技メダルを上方へ搬送するリフト装置と、このリフト装置にて搬送されたメダルを遊技機の前面に設けたメダル投入部へ先端のメダル出口から導入するメダル案内シュートを備えたメダル移送装置であって、前記メダル案内シュートの先端の保持部には前記メダル出口を備えた出口部材が左右回動可能に組み合わされ、前記保持部と前記出口部材を縦方向に貫通するロック部材を備え、前記ロック部材と前記ロック部材が貫通する前記出口部材の相対するそれぞれの面には相互に嵌合し合う複数の縦方向筋を備え、前記ロック部材の第１位置では前記縦方向筋の嵌合が解除し、前記ロック部材の第２位置では前記縦方向筋の相互嵌合によって、前記出口部材が前記保持部に位置決めされることを特徴とする遊技メダル貸機用メダル移送装置。
【請求項３】
メダル収容部の底部に設けたメダル払い出し盤の回転によってその周辺のメダル送出口からメダルを１枚ずつ送出するメダル送出装置と、前記メダル送出口から送出される遊技メダルを上方へ搬送するリフト装置と、このリフト装置にて搬送されたメダルを遊技機の前面に設けたメダル投入部へ先端のメダル出口から導入するメダル案内シュートを備えたメダル移送装置であって、前記メダル案内シュートの先端部には円形状または円弧状の保持部を備え、前記メダル出口を備えた出口部材の上部が前記保持部内に左右回動可能に組み合わされ、前記保持部の上壁と前記出口部材の上部を縦方向に貫通するロック部材を備え、前記ロック部材と前記ロック部材が貫通する前記出口部材の相対するそれぞれの面には、相互に嵌合し合う複数の縦方向筋を備え、前記ロック部材の上昇位置では前記縦方向筋の嵌合が解除し、前記ロック部材の下降位置では前記縦方向筋の相互嵌合によって、前記出口部材が前記保持部に位置決めされることを特徴とする遊技メダル貸機用メダル移送装置。
【請求項４】
請求項１乃至３の何れかに記載の遊技メダル貸機用メダル移送装置を備えた遊技メダル貸機。
【発明の詳細な説明】
【技術分野】
【０００１】
本発明は、紙幣等の薄片の挿入によって、遊技メダル供給部から供給される遊技メダルを遊技機のメダル投入部へ移送するメダル移送装置、並びにこのメダル移送装置を組み込んだ遊技メダル貸機に関する。
【背景技術】
【０００２】
先行技術として、パチスロ機において、１回の遊技を行うために必要な１〜３枚の遊技メダルを１回の遊技ごとにメダル投入口へ投入するか、複数回の遊技に必要な枚数のメダルをまとめてメダル投入口へ投入するかによって、遊戯を行う場合はメダル投入という面倒さが付きまとうが、これを解決するために、パチスロ機から払い出されるメダルを受けるメダルカップ内のメダルを自動的にメダル投入口へメダルリフターによって搬送して連続して遊技ができるようにしたものがある（例えば、特許文献１参照）。
【０００３】
この特許文献１のものは、メダル払い出し口から払い出される遊技メダルを集めるメダルカップ内の所定箇所から遊技メダルを取り出して１枚ずつ送給するメダル取り出し機構部と、上下端部がメダル投入部とメダルカップにそれぞれ近接配置されてメダル取り出し機構部から送られる遊技メダルを複数のメダル受け部に順次取り込んで保持しながら上方へ移送するメダルリフターと、このメダルリフターの上端まで移送された遊技メダルをメダル投入部へ導くシュータ部と、メダル投入部へ投入された遊技メダルを検出するメダル検出センサを備えた構成が、パチスロ機の中に設けられるタイプである。
【特許文献１】特開２００１−３４６９３８号公報
【発明の開示】
【発明が解決しようとする課題】
【０００４】
このように、特許文献１のものは、パチスロ機内に、上記のメダル取り出し機構部と、メダルリフターと、シュータ部と、メダル検出センサを備えた構成であるため、遊技者が挿入した紙幣の真偽識別部と、この紙幣の受領によって払い出される遊技メダルと入賞時に払い出す遊技メダルの多数を予め収納しておくホッパーと、このホッパー内の遊技メダルを払い出す払い出し機構とを、パチスロ機の中に組み込んでおくタイプである。このため、これらのすべての機構を組み込んだパチスロ機を複数設置して遊技施設を構成する場合には適するが、パチスロ機自体を大幅に改良しなければならない。このため、パチスロ機自体ではメダル投入口に投入されたメダルによって遊技が行われるが、遊技者が紙幣を挿入して遊技メダルを購入するのは、パチスロ機に隣接配置した遊技メダル貸機にて行うようにしたタイプに係る技術ではない。
【０００５】
本発明は、パチスロ機のような遊技機に隣接配置した遊技メダル貸機に遊技者が紙幣等を挿入して、遊技メダル貸機から遊技メダルの払い出しを受け、この払い出されたメダルをメダル移送装置によって自動的に遊技機のメダル投入口へ搬送する形態において、メダル移送装置のメダル収容部のメダルを、リフト装置で上方へ移送し、メダル案内シュートによってメダルを遊技機の前面に設けたメダル投入部へ導入する構成のメダル移送装置とし、リフト装置から送出されるメダルが遊技機のメダル投入口へ円滑に移動するようにするためのメダル案内シュートを提供する。
【０００６】
特に、遊技機の機種によってメダル投入口の形や向きが異なるものがあるが、種々のメダル投入口の形態に対しても、正常なメダル搬送ができるようにする必要がある。本発明では、メダル投入口の向きが異なる機種に対しても、容易に対応できるようにするものである。そのために、メダル案内シュートの先端部にメダル出口を備えた出口部材を回動可能に設け、この出口部材を回動してメダル投入口の向きに一致させ、その位置にこの出口部材を固定するものである。
【０００７】
本発明において、薄片とは、紙幣を含むことは勿論のこと、プリペイドカードやその他のカードであって、遊技メダルの供給を受けることができる有価カードを含めた総称であり、紙幣やカードの材質は問わない。
【課題を解決するための手段】
【０００８】
第１発明の遊技メダル貸機用メダル移送装置は、メダル収容部の底部に設けたメダル払い出し盤の回転によってその周辺のメダル送出口からメダルを１枚ずつ送出するメダル送出装置と、前記メダル送出口から送出される遊技メダルを上方へ搬送するリフト装置と、このリフト装置にて搬送されたメダルを遊技機の前面に設けたメダル投入部へ先端のメダル出口から導入するメダル案内シュートを備えたメダル移送装置であって、前記メダル案内シュートの先端の保持部には前記メダル出口を備えた出口部材が左右回動可能に組み合わされ、前記保持部に対して前記出口部材を所定位置に位置決めする状態と、前記保持部に対して前記出口部材を回動自由とする状態とに操作するロック部材を設けたことを特徴とする。
【０００９】
第２発明の遊技メダル貸機用メダル移送装置は、メダル収容部の底部に設けたメダル払い出し盤の回転によってその周辺のメダル送出口からメダルを１枚ずつ送出するメダル送出装置と、前記メダル送出口から送出される遊技メダルを上方へ搬送するリフト装置と、このリフト装置にて搬送されたメダルを遊技機の前面に設けたメダル投入部へ先端のメダル出口から導入するメダル案内シュートを備えたメダル移送装置であって、前記メダル案内シュートの先端の保持部には前記メダル出口を備えた出口部材が左右回動可能に組み合わされ、前記保持部と前記出口部材を縦方向に貫通するロック部材を備え、前記ロック部材と前記ロック部材が貫通する前記出口部材の相対するそれぞれの面には相互に嵌合し合う複数の縦方向筋を備え、前記ロック部材の第１位置では前記縦方向筋の嵌合が解除し、前記ロック部材の第２位置では前記縦方向筋の相互嵌合によって、前記出口部材が前記保持部に位置決めされることを特徴とする。
【００１０】
第３発明の遊技メダル貸機用メダル移送装置は、メダル収容部の底部に設けたメダル払い出し盤の回転によってその周辺のメダル送出口からメダルを１枚ずつ送出するメダル送出装置と、前記メダル送出口から送出される遊技メダルを上方へ搬送するリフト装置と、このリフト装置にて搬送されたメダルを遊技機の前面に設けたメダル投入部へ先端のメダル出口から導入するメダル案内シュートを備えたメダル移送装置であって、前記メダル案内シュートの先端部には円形状または円弧状の保持部を備え、前記メダル出口を備えた出口部材の上部が前記保持部内に左右回動可能に組み合わされ、前記保持部の上壁と前記出口部材の上部を縦方向に貫通するロック部材を備え、前記ロック部材と前記ロック部材が貫通する前記出口部材の相対するそれぞれの面には、相互に嵌合し合う複数の縦方向筋を備え、前記ロック部材の上昇位置では前記縦方向筋の嵌合が解除し、前記ロック部材の下降位置では前記縦方向筋の相互嵌合によって、前記出口部材が前記保持部に位置決めされることを特徴とする。
【００１１】
第４発明は、第１発明乃至第３発明のいずれかに記載の遊技メダル貸機用メダル移送装置を備えた遊技メダル貸機である。
【発明の効果】
【００１２】
第１の発明では、遊技機の機種によってメダル投入口の形状や向きが異なる場合でも、メダル案内シュートの先端部に設けた出口部材を回動することによって、メダル出口をメダル投入口に一致させることができる。このため、遊技場に遊技機と遊技メダル貸機を設置する際の調節作業もし易く、遊技機の機種ごとのメダル案内シュートを用意する必要がなく、経済的である。そして、メダル案内シュートの先端のメダル出口を遊技機のメダル投入部に対して正規位置に位置決めする位置決め装置は、ロック部材の操作によって、メダル出口を備えた出口部材の左右回動を自由とする状態と、保持部に対して出口部材を所定位置に位置決めする状態とに切り替え操作できるため、メダル出口をメダル投入口に一致させる作業が容易となり、短時間で作業が達成できる。
【００１３】
第２の発明では、第１の発明の効果に加えて、ロック部材の操作によって、双方の縦方向筋が嵌合した状態で出口部材がメダル案内シュートの保持部に位置決めされるため、出口部材を所定位置に保持する作業が工具なしに簡単に行えるものとなり、位置決め作業時間が短縮される。このため、多数の遊技機と遊技メダル貸機とを設置する場合や、メダル案内シュートにメダルが詰ったときやメンテナンス等の作業を終了したときに行われる、メダル出口と遊技機のメダル投入口の対応調節作業時間も極めて短時間で終われることとなり、作業時間の短縮が課題であった点が解決できるものとなる。
【００１４】
第３の発明では、第２の発明の効果に加えて、ロック部材の下降位置で双方の縦方向筋が嵌合して位置決め状態となるため、ロック部材が外れ難くなり、安定した位置決め状態の保持が可能となる。
【００１５】
第４の発明では、第１の発明乃至第３の発明の効果を奏する遊技メダル貸機を提供できる。
【発明を実施するための最良の形態】
【００１６】
本発明の遊技メダル貸機用メダル移送装置は、メダル収容部の底部に設けたメダル払い出し盤の回転によってその周辺のメダル送出口からメダルを１枚ずつ送出するメダル送出装置と、前記メダル送出口から送出される遊技メダルを上方へ搬送するリフト装置と、このリフト装置にて搬送されたメダルを遊技機の前面に設けたメダル投入部へ先端のメダル出口から導入するメダル案内シュートを備えたメダル移送装置であって、前記メダル案内シュートの先端の保持部には前記メダル出口を備えた出口部材が左右回動可能に組み合わされ、前記保持部に対して前記出口部材を所定位置に位置決めする状態と、前記保持部に対して前記出口部材を回動自由とする状態とに操作するロック部材を設けたものである。本発明の実施例を以下に記載する。
【実施例１】
【００１７】
次に、薄片をその代表的な紙幣で表した本発明の実施の形態について説明する。図１は本発明に係る遊技メダル貸機と遊技機の併設状態を示す正面図、図２は本発明に係るメダル移送装置が遊技メダル貸機に組み込まれた状態を説明する正面斜視図、図３は両島タイプの遊技装置における搬送装置の配置平面図、図４は搬送ユニットを接続した状態の正面図、図５は本発明に係るメダル案内シュートの先端部分の斜視図、図６は本発明に係るメダル移送装置と遊技機との関係を示す側面図、図７は本発明に係るメダル移送装置のメダル収容部を取り外した状態の上面斜視図、図８は本発明に係るメダル移送装置のメダル導入装置がメダルを押し上げる前の状態を示す斜視図、図９は本発明に係るメダル移送装置のメダル導入装置がメダルを押し上げ始める状態を示す斜視図、図１０は本発明に係るメダル移送装置のメダル導入装置がメダルを押し上げてリフト装置へ導入した状態を示す斜視図、図１１は本発明に係るメダル移送装置の構成を示す横断平面図、図１２は本発明に係るメダル移送装置のメダルの導入部と導入装置との関係を示す右側面図、図１３は本発明に係るメダル移送装置のメダル送出装置によるメダル払い出し動作を示す平面図、図１４は本発明に係るメダル移送装置のメダル送出装置の払い出し盤部分の縦断側面図、図１５は本発明に係るメダル移送装置のメダル収容部に設けたメダル残留防止装置の縦断面図、図１６は本発明に係るメダル移送装置のメダル収容部に設けたメダル残留防止装置の上面斜視図、図１７は本発明に係るメダル移送装置の電動機装置の伝達装置の説明図、図１８は本発明に係るメダル移送装置のメダル方向転換部の上面斜視図、図１９は本発明に係るメダル移送装置のメダル方向転換部の上面図、図２０は本発明に係るメダル案内シュート部分の斜視図、図２１は本発明に係るメダル案内シュートの位置決め装置の構成を示す断面図、図２２は本発明に係るメダル案内シュートのカバーを取り外した状態の斜視図、図２３は本発明に係るメダル案内シュートの開閉カバーを開いた状態の分解斜視図、図２４は本発明に係る第２案内シュートを支持する部分の構成を示す斜視図、図２５はロック部材が上昇位置にある場合のメダル案内シュートの先端部の縦断面図、図２６はロック部材が下降位置にある場合のメダル案内シュートの先端部の縦断面図、図２７は図２６のＸ−Ｘ断面図である。
【００１８】
本発明の実施の形態を図に基づき説明する。１は遊技機であり、スロットマシンや、パチンコ機能とスロットマシン機能との併合であるパチスロ機等の遊技機を示す。遊技機１がパチスロ機の場合は、メダル投入口２５に遊技に必要な最低１枚のメダル２００が投入された状態において、スタートレバー１Ａを操作することにより、３個のリール１Ｃが回転する。この状態でタイミングを見て３個のストップボタン１Ｂを押すことにより、リール１Ｃが順次停止し、表面に表示された各リール１Ｃの図柄や数字の組み合わせに応じて入賞メダルが、払い出し口からメダル受け皿１Ｄに払い出される仕組みである。
【００１９】
２は遊技機１に併設される遊技メダル貸機である。遊技メダル貸機２は、遊技メダル２００の供給を受けるために挿入された紙幣や有価カード等の薄片１００の識別機能を有する薄片識別装置１０と、紙幣や有価カード等の薄片１００の挿入によって所定枚数の遊技メダル２００を供給する遊技メダル供給部２０と、この供給された遊技メダル２００を遊技機１のメダル挿入部２５へ搬送するためのメダル移送装置３００とを備えている。遊技メダル貸機２は、単に貸機と称する場合があり、また、遊技機１相互間に配置されるため台間貸機とも称する。複数の遊技機１の横に隣接するようにそれぞれ貸機２が遊技機１に併設配置され、この形態は一つの島を形成する状態であるため、これを遊技装置の島と称している。遊技機１と貸機２は、遊技装置の島の外観形成を整えるために略同一高さに形成されている。
【００２０】
有価カードとしては、プリペイドカード、その他のカード等の如くカードに貨幣価値が記憶されたものであり、このカードを薄片識別装置１０に挿入することによって、貸機２から遊技メダル２００の供給を受けることができるものである。遊技メダル貸機２は、その筐体２Ａ内の上部に薄片１００の一つである紙幣の真偽を識別する薄片識別装置１０と、下部に遊技メダルを供給する遊技メダル供給部２０と、そして中間部に電装部３０を内蔵している。
【００２１】
メダル貸機２は薄片識別装置１０と電装部３０の前面側を開閉できるように前面板１６を備えており、前面板１６には、薄片識別装置１０に対応した前面側に薄片挿入部１１を備えている。前面板１６は、遊技装置の管理者が開閉できる施錠装置１８によって閉じられているが、前面板１６を開くことによって薄片識別装置１０、電装部３０、及びその他の箇所の点検や修理等ができる。
【００２２】
薄片挿入部１１は、メダル貸機２の前面に開口し、その開口に下側又は上側に挿入適用紙幣の金種表示部を備えている。この金種表示部の表示は、挿入適用紙幣が￥１０００であれば￥１０００を標記している。薄片挿入口１１から挿入された紙幣の真偽判別を薄片識別装置１０で行い、識別した真正紙幣１００を後述の薄片導入装置３へ導入する。メダル貸機２に適用可能な紙幣は、例えば、１０００円以外に、２０００円、５０００円、１００００円の紙幣の一つ又は複数とすることもできる。
【００２３】
遊技メダル供給部２０は、メダル払い出し装置２１とその上部に設けたホッパー状のメダル収納部２２を備え、メダル収納部２２へ収納されたメダル２００をメダル払い出し装置２１によって１枚ずつ所定枚数払い出すものである。メダル収納部２２へのメダル２００の補給は、遊技メダル供給部２０に対応してメダル貸機２の前面に設けた前面板２３を開くことにより可能である。前面板２３は、遊技装置の管理者が開閉できる施錠装置２４によって閉じられており、前面板２３を開くことによって、遊技メダル供給部２０や後述のメダル移送装置３００の点検、修理等ができる。
【００２４】
メダル払い出し装置２１は、メダル収納部２２の下端部に配置した払い出し盤２０Ａを電動機機構によって回転することによって、メダル収納部２２のメダル２００を１枚ずつ払い出す仕組みである。メダル払い出し装置２１は、後述のメダル送出装置３０２と同様の構成である。払い出されたメダル２００は、後述のメダル移送装置３００のメダル収納部３０１へ供給される仕組みである。
【００２５】
電装部３０は、薄片識別装置１０と遊技メダル供給部２０に電気的に接続されている。このため電装部３０は、紙幣挿入口１１から挿入され薄片識別装置１０にて識別された真正紙幣１００の金額データの読み込み制御や、この金額データを遊技機１の前面板に設けた表示器に表示させる制御や、この真正紙幣１００の金額に対応してメダル払い出し装置２１から所定数のメダルを払い出す制御や、このメダル払い出し装置２１から払い出すメダル数を貸機２の前面に設けた表示器１７に表示させる制御や、メダル収納部２２の収納メダルの不足を検知センサで検知し、ＬＥＤ等の表示部等で報知する制御や、後述のメダル移送装置３００に関係する制御等、これらの制御を行なう制御部を備えている。
【００２６】
遊技機１と貸機２とは、基台に横一列状に併設されてグループＰ、Ｑを構成して、遊技施設内に恰も「島」を形成するように見えるため、遊技島、遊技装置の島または単に島と称している。このような遊技島は、前記グループＰ、Ｑが背中合わせに配置したものを両島タイプと称し、グループＰ又はＱの一方側のみのものを片島タイプと称している。図３には、グループＰ、Ｑが背中合わせに配置された両島タイプの構成を示している。グループＰ、Ｑの背面側には、グループＰ、Ｑに沿って薄片１００を一方向に向けて搬送する搬送路Ｍを形成する薄片搬送装置５が設けられており、貸機２の薄片識別装置１０で識別された真正薄片１００は、薄片導入装置３によって薄片搬送装置５へ導入される。薄片搬送装置５の搬送終端部には、薄片１００をカウントし、収納する収納庫７０が設けられている。
【００２７】
薄片搬送装置５は、電動機装置５５によって一方向へ搬送駆動される一本のエンドレスベルト５１（支持ローラ５４Ａと５４Ｂに架け渡されている）と、このエンドレスベルト５１に対向配置されたカバー部材５２との間に薄片１００を挟持して搬送する搬送路Ｍ１を形成した搬送ユニット５０（別称、搬送カセット５０）の複数が直列状態に接続されて薄片搬送路Ｍを形成する。また、他の形態としては、一方向へ搬送駆動される一本のエンドレスベルト５１が対向配置され、このエンドレスベルト５１、５１相互間に薄片１００を挟持して搬送する搬送路Ｍ１を形成した搬送ユニット５０（別称、搬送カセット５０）の複数が直列状態に接続されて薄片搬送路Ｍを形成するものもある。
【００２８】
遊技者が遊技機１で遊技する場合、遊技メダル貸機２の薄片挿入口１１へ、例えば１０００円紙幣を挿入すると、それを薄片識別装置１０で識別し、その１０００円紙幣が真正紙幣である場合は、それに見合う数、例えば５０枚の円盤状のメダル２００を電装部３０の制御部の動作に基づき払い出すように遊技メダル供給部２０が動作する。遊技メダル供給部２０の動作は、メダル払い出し装置２１の電動機機構によって払い出し盤２０Ａが回転し、毎秒１０枚のスピードでメダル収納部２２のメダル２００を１枚ずつ送出する。これは、後述の送出装置３０２と同様の構成であるが、他の構成でもよい。
【００２９】
遊技メダル供給部２０から送出されるメダル２００は、メダル案内シュート（又はメダル案内樋という）２０Ｂを通ってメダル移送装置３００のメダル収容部３０１へ供給される。メダル移送装置３００は、上方開口に向けて広がった形状の合成樹脂製容器でもって形成したメダル収容部３０１と、メダル収容部３０１の底部に設けられて遊技メダル２００を１枚ずつ排出する送出装置３０２と、この送出装置３０２から排出された遊技メダル２００を遊技機１のメダル挿入（投入）部２５へ向けて搬送するリフト装置３０３と、送出装置３０２から排出される遊技メダル２００を立った状態に転換してリフト装置３０３に導入する導入装置３０４と、リフト装置３０３によって上方へ移送されたメダル２００を遊技機１のメダル投入口２５へ導入するメダル案内シュート（又はメダル案内樋という）３５０を備えている。
【００３０】
メダル移送装置３００は、貸機２に組み込まれているが、送出装置３０２とリフト装置３０３とが貸機２内に収納され、リフト装置３０３が貸機２の前面板２３の裏側に沿って略垂直状態で縦に配置されている。そして、メダル収容部３０１の前面側に形成した上面開口の受け入れ口３０５Ａを有する前面受け入れ部３０５とメダル案内シュート３５０が、貸機２の前面板２３の前側に突出状態に配置されている。前面受け入れ部３０５は、遊技者が遊技機１のメダル受け皿１Ｄに払い出された入賞メダル２００を挿入（投入）して遊技することができるようにするためのものである。
【００３１】
メダル案内シュート３５０によってメダル２００を遊技機１のメダル投入部２５へ安定して導入することが必要である。メダル案内シュート３５０が揺れて、案内シュート（又はメダル案内樋という）３５０の先端、即ち、第２案内シュート３５３の先端と遊技機１のメダル投入口２５との整合状態が保たれなくなることは問題である。このため、メダル案内シュート３５０が揺れ動き難いようにするために、第１案内シュート３５１とリフト装置３０３の収納筒３４３が強固に組み合わされ、第１案内シュート３５１の基部の取り付け部５０１Ｄが、貸機２内の固定部にネジにて固定され、且つ、リフト装置３０３の収納筒３４３の適数箇所に設けた取り付け部３４３Ｄが、貸機２内の固定部にネジにて固定されている。
【００３２】
なお、第１案内シュート３５１が前面板２３を貫通した部分で、貸機２の前面板２３へ第１案内シュート３５１の基部をネジ固定するようにしてもよい。また、後述のメダル方向転換部３５２を前面板２３の前面側へ取り付けることに伴って、メダル案内シュート３５０が貸機２の前面板２３へ固定される構成を追加してもよい。
【００３３】
メダル収容部３０１は、底部にメダル送出装置３０２の払い出し盤３０２Ａが配置され、上面開口３１０へ向けて上方に広がった構成であり、上面開口３１０の後側部分は、遊技メダル供給部２０から送出されるメダル２００を受け入れる受け入れ口を構成し、上面開口３１０の前側部分は、貸機２の前面側に張り出した（露出した）前面受け入れ部３０５を構成している。前面受け入れ部３０５は、遊技者が遊技機１のメダル受け皿１Ｄに払い出された入賞メダル２００を挿入（投入）するための上面開口の受け入れ口３０５Ａを有しており、図示のメダル収容部３０１は上面開口３１０へ向けて、左右側壁は略直立状であり前方と後方に広がった形状である。
【００３４】
メダル収容部３０１は、上面に開口３１０を形成するように容器部材で形成され、具体的には、第１容器部３０１Ａと第２容器部３０１Ｂとの組み合わせによって構成されている。第１容器部３０１Ａは、上面に上面開口３１０の後側部分を形成し、前面に前面開口３１１を形成しており、底部に送出装置３０２の払い出し盤３０２Ａが配置され、左右側壁は略直立状であり、上面開口３１０に向けて後方に拡がった形状の合成樹脂製である。
【００３５】
払い出し盤３０２Ａは、ベース板３１５の上面に形成した円弧状の突壁３１６の内側において、ベース板３１５上で回転軸３１７によって一方向へ回転するように設けられている。そして、突壁３１６には第１容器部３０１Ａの円形状の下部開口が嵌合してメダル収容部３０１を形成している。円弧状の突壁３１６は、その円弧の切れた部分をメダル送出口３２６としている。また、第２容器部３０１Ｂは、後端開口３０１Ｂ１の周縁が前面開口３１１の周縁部と連接されるように第１容器部３０１Ａに組み合わされた合成樹脂製であり、上面開口３１０の前側部分を構成してメダル収容部３０１の前面受け入れ部３０５を形成している。
【００３６】
前面受け入れ部３０５は、上面開口の受け入れ口３０５Ａと、受け入れ口３０５Ａから受け入れたメダル２００を送出装置３０２へ向けて誘導するメダル受け入れ通路を備え、このメダル受け入れ通路は傾斜誘導路３０５Ｂによって後方に低く傾斜通路を形成している。これによって、遊技者が貸機２の前面側から受け入れ口３０５Ａへ挿入（投入）した遊技メダル２００は、傾斜誘導路３０５Ｂによってメダル収容部３０１の底部に配置された払い出し盤３０２Ａに向けて誘導される。このため、第２容器部３０１Ｂ、即ち前面受け入れ部３０５は、略貸機２の横幅に近い幅を持つ大きさであり、受け入れ口３０５Ａも略その横幅に形成されている。
【００３７】
前面受け入れ部３０５には、受け入れ口３０５Ａの後ろ側にメダル移送装置３００の駆動制御用手動スイッチ装置３０６を備えた表面板３０７Ａが、メダル収容部３０１の上方を覆う状態に配置されている。具体的には、貸機２の前面側に延びるメダル収容部３０１の上面開口３１０は、その前側を前面受け入れ部３０５の受け入れ口３０５Ａとし、貸機２の前面板２３に近い後側が、手動スイッチ装置３０６を備えた表面板３０７Ａで覆われている。このため、受け入れ口３０５Ａが前側で、この受け入れ口３０５Ａに近接して後ろ側に手動スイッチ装置３０６が配置される関係となり、遊技機１のメダル受け皿１Ｄに払い出された入賞メダル２００を受け入れ口３０５Ａへ挿入（投入）し易く、また、メダル移送装置３００の駆動のＯＮ−ＯＦＦ操作がし易くなる。
【００３８】
表面板３０７の裏側には、傾斜誘導路３０５Ｂと十分な間隔を保ってスイッチボックス３０７Ａが配置され、スイッチボックス３０７Ａ内には、手動スイッチ装置３０６等が取り付けられた基板３０７Ｂ等が収納されている。基板３０７Ｂの電気回路は、電装部３０の制御部と電気的に接続されている。手動スイッチ装置３０６は、操作のし易さ等を考慮して、その操作部３０６Ａが表面板３０７から外部に露出状態に配置されている。
【００３９】
遊技者は、遊技機１のメダル受け皿１Ｄに払い出された入賞メダル２００を取り出して前面受け入れ部３０５へ挿入（投入）する動作がし易いようにするために、上記のように前面受け入れ部３０５は、略貸機２の横幅に近い幅を持つ大きさを有すると共に、遊技メダル貸機２が遊技機１に併設されるとき、遊技機１のメダル受け皿１Ｄの横に近接配置され、略同等の水平位置に配置されている。
【００４０】
貸機２のメダル移送装置３００によって移送されるメダル２００が、貸機２の前方へ延びた合成樹脂製のメダル案内シュート（又はメダル案内樋という）３５０によって遊技機１のメダル投入口２５へ導入される。このため、案内シュート（又はメダル案内樋という）３５０の先端のメダル出口３５３Ａと遊技機１のメダル投入口２５とを整合させるために、貸機２は、遊技機１よりも若干後方位置にある。そして、遊技機１のメダル受け皿１Ｄに払い出された入賞メダル２００を貸機２の前面受け入れ部３０５へ移し替え易いようにするために、前面受け入れ部３０５は、遊技機１のメダル受け皿１Ｄと近接配置され、更に、略貸機２の横幅に近い幅を持つ大きさである。なお、前面受け入れ部３０５とメダル受け皿１Ｄが、略同一平面上に配置され、更にこの両者が横並びであれば、メダル受け皿１Ｄに払い出された入賞メダル２００を貸機２の前面受け入れ部３０５へ移し替え易い状態となる。
【００４１】
受け入れ口３０５Ａに挿入（投入）されたメダル２００が、傾斜誘導路３０５Ｂから払い出し盤３０２Ａに向けて移動する間に、第２容器部３０１Ｂ、即ち前面受け入れ部３０５内に直立した側壁３０５Ｃが存在すると、この側壁に沿ってメダル２００が立った状態となり、他のメダル２００の移動に邪魔となる虞がある。これを防止するために、傾斜誘導路３０５Ｂと左右側壁３０５Ｃとの間のコーナ部は、メダル２００が側壁から傾斜誘導路３０５Ｂに向けて滑る曲線コーナ３０５Ｄとしている。これによって、傾斜誘導路３０５Ｂに沿って移動するメダル２００が側壁付近で立つことがなく、全てのメダル２００が払い出し盤３０２Ａに向けて倒れた状態で移動でき、払い出し盤３０２Ａで安定した送出動作が達成できるものとなる。
【００４２】
送出装置３０２は、メダル収容部３０１の底部に配置した払い出し盤３０２Ａと、払い出し盤３０２Ａを駆動する電動機装置３３０とを備え、電動機装置３３０は、電動機３３１とこの電動機３３１の回転によって回転する複数の歯車の組み合わせからなる伝達装置３３２とからなる。電動機３３１の回転が伝達装置３３２を介して払い出し盤３０２Ａの回転軸３１７に伝達され、回転軸３１７と共に払い出し盤３０２Ａが回転することによって、メダル２００を１枚ずつメダル送出口３２６から送出する仕組みである。
【００４３】
払い出し盤３０２Ａは、回転軸３１７を中心とする同一円上に等間隔配置で複数のメダル分離孔３１８が形成されており、回転中心部には山形で上方へ突出したメダル攪拌部３１９が形成された合成樹脂製である。メダル分離孔３１８は、メダル２００の１個が若干の余裕をもって平坦状に嵌り込む大きさの円形状孔であり、上面にはメダル分離孔３１８の回転先側がメダル分離孔３１８へ向けて低く傾斜した案内面３１８Ｂを形成しており、払い出し盤３０２Ａの回転によって、メダル２００がメダル分離孔３１８へ進入し易いようになっている。また、払い出し盤３０２Ａの下側には、図１３に示すように、メダル分離孔３１８に入ったメダル２００が、後述のように、メダル送出口３２６へ向けて押し出されるように、メダル分離孔３１８の回転後壁が突壁３１６に向けて曲線状に開いた形状のメダル押し出し面３１８Ａを形成している。
【００４４】
払い出し盤３０２Ａを取り囲む壁である突壁３１６が切れた部分には、メダル送出口３２６が形成されており、ベース板３１５の上面には、メダル送出口３２６に対応した内側位置において、メダル分離孔３１８の略中心の回転軌跡上に、円錐状の送出案内ピン３２０が設けられている。このため、払い出し盤３０２Ａの下面には、この送出案内ピン３２０が衝突しないように、ベース板３１５との間に回転軸３１７を中心とした円形の空間３２０Ａがある。
【００４５】
メダル送出口３２６に臨んだ外側位置には、一対の送出作動体３２１と３２２が対向配置されている。送出作動体３２１は固定であり、送出作動体３２２は可動である。送出作動体３２１は、メダル２００が当たる部分に回転可能に軸支されたローラ３２１Ａを備えている。送出作動体３２２は、略Ｌ字形をなしており、中間部が回動可能に軸支持３２３されており、メダル２００が当たる先端部分にはローラ３２２Ａが回転可能に軸支され、後端部はローラ３２１Ａと３２２Ａが所定間隔の送出間口を形成するように、バネ３２４によって付勢された状態である。バネ３２４によって付勢された状態で、送出作動体３２１、３２２それぞれの先端の間隔、即ち送出間口を形成するローラ３２１Ａと３２２Ａの間隔は、メダル２００の半径よりも大で直径よりも若干小の間隔である。
【００４６】
本発明では、遊技者が遊技機１のメダル受け皿１Ｄに払い出された入賞メダル２００を使って遊技する場合、遊技者がこの入賞メダル２００を遊技機１のメダル投入口２５へ直接挿入するのではなく、この入賞メダル２００をメダル移送装置３００によって遊技機１のメダル投入口２５へ搬送する仕組みである。即ち、貸機２の前面側に設けられている貸機２のメダル投入口となる前面受け入れ部３０５へ、この入賞メダル２００を挿入（投入）した後、遊技者が貸機２の前面側に設けられている手動スイッチ装置３０６を操作することにより、このメダル２００をメダル移送装置３００によって遊技機１のメダル投入口２５へ導入することができる。
【００４７】
また本発明では、遊技メダル供給部２０から送出されるメダル２００も、メダル移送装置３００によって遊技機１のメダル投入口２５へ搬送して、メダル２００を使って遊技機１で遊技できる仕組みである。次に、メダル移送装置３００の動作について説明する。
【００４８】
操作部３０６Ａを押して手動スイッチ３０６をＯＮさせることによって、電装部３０の制御部の動作によってメダル移送装置３００の駆動部がＯＮ（運転）し、メダル収容部３０１内のメダル２００が遊技機１のメダル投入口２５へ搬送される。即ち、後述のように、電動機３３１が始動して送出装置３０２とリフト装置３０３と導入装置３０４が同時にＯＮ（運転）して、電装部３０の制御部の動作によって、メダル収容部３０１内のメダル２００が、遊技機１のメダル投入口２５へ搬送される。そして、後述のように、メダル２００の送出を検出部３２５が検出した後、所定時間（例えば６秒）経過して次のメダル２００が検出部３２５で検出されない場合は、メダル収容部３０１内の最後のメダル２００が送出されたと判断して、電動機３３１が停止して送出装置３０２とリフト装置３０３は自動停止するように、電装部３０の制御部の動作によって制御される構成である。なお、最後のメダル２００が送出される前に、手動スイッチ装置３０６を再度ＯＮすれば、電装部３０の制御部の動作によって、メダル移送装置３００の動作は停止する。即ち、送出装置３０２とリフト装置３０３と導入装置３０４はストップする。手動スイッチ装置３０６の操作に基づくメダル移送装置３００の動作状態（ＯＮのとき）と動作待機状態（ＯＦＦのとき）は、表示灯でその状態が判るように表示することが望ましい。
【００４９】
遊技者が遊技機１であるパチスロ機を操作する場合は、薄片挿入口１１に例えば、１０００円紙幣１００を挿入する。この紙幣１００が薄片識別装置１０で識別され、それが真正紙幣１００である場合は、電装部３０の制御部の動作に基づき、円盤状の遊技メダル２００を規定枚数（例えば、５０枚）払い出すように遊技メダル供給部２０が動作する。遊技メダル供給部２０の動作は、電装部３０の制御部の動作に基づきメダル払い出し装置２１の電動機機構が始動して払い出し盤が回転し、毎秒１０枚のスピードでメダル収納部２２のメダル２００を１枚ずつ払い出す。（１０００円紙幣１００の挿入によって、規定枚数として５０枚のメダルが払い出されるものとする。）これは、送出装置３０２と同様の構成である。
【００５０】
このようにしてメダル払い出し装置２１から払い出されたメダル２００は、メダル案内シュート（又はメダル案内樋という）２０Ｂを通って、貸機２内の開口部３１０からメダル収容部３０１へ供給される。メダル移送装置３００の駆動部は、電装部３０の制御部の動作によって、遊技メダル供給部２０の動作と共にＯＮし（運転し）て、メダル収容部３０１内のメダル２００が遊技機１のメダル投入口２５へ搬送される。即ち、電装部３０の制御部の動作によって、送出装置３０２とリフト装置３０３と導入装置３０４が同時にＯＮ（運転）し、メダル収容部３０１内のメダル２００が遊技機１のメダル投入口２５へ搬送される仕組みである。
【００５１】
このように、送出装置３０２の電動機３３１は、前記電装部３０の制御部の動作に基づきメダル払い出し装置２１の電動機機構の運転と共に運転され、払い出し盤３０２Ａが回転する。この払い出し盤３０２Ａの回転によって、メダル収容部３０１内のメダル２００は、メダル攪拌部３１９で攪拌され、後述のメダル残留防止装置７００でメダル２００が抵抗を受けるため、横に倒れた水平状態で１枚ずつメダル分離孔３１８に入る。メダル移送装置３００の駆動によって、メダル収容部３０１内のメダル２００が残らず送出されるようにするために、払い出し盤３０２Ａの回転によって送出口３２６に対応した位置へ移動したメダル分離孔３１８に向かって、上方から下方へ延びたバネ７００によるメダル残留防止装置を設けている。
【００５２】
メダル分離孔３１８のメダル２００は、払い出し盤３０２Ａが図１３で反時計方向へ回転して送出口３２６に対応する位置に移動することに伴って、そのメダル２００の周縁部が送出案内ピン３２０に衝突する。この衝突によってそのメダル２００の移動が阻止されるため、払い出し盤３０２Ａの回転に伴って、図１３に示すように、そのメダル２００は払い出し盤３０２Ａの下側へ潜り込んでメダル押し出し面３１８Ａによって押されつつ、メダル分離孔３１８から送出口３２６へ向けて押し出される。
【００５３】
このように送出口３２６へ押し出されるメダル２００は、払い出し盤３０２Ａの回転に伴って、ローラ３２１Ａと３２２Ａに当接し、ローラ３２１Ａは固定ローラであるため、ローラ３２２Ａをバネ３２４に抗して押し退けつつ、ローラ３２１Ａと３２２Ａの間隔を押し広げるように送出作動体３２２を回動させる。このような動作によって、メダル２００の直径部分がローラ３２１Ａと３２２Ａの間を通り過ぎた時、バネ３２４の復帰力によって、ローラ３２１Ａと３２２Ａの間隔が狭まる方向へ送出作動体３２２が復帰する。この復帰時の作用力によって、メダル２００は、メダル送出口３２６の外方の導入部３３５へ向けて押し出される。このような動作が払い出し盤３０２Ａの回転によって連続して行われる。
【００５４】
メダル送出口３２６の外方へ押し出されたメダル２００は、送出口３２６の延長上に配置した導入部３３５に、略水平状態で受け入れられる。導入部３３５は、送出口３２６から傾斜面３３５Ａを経た窪み３３５Ｂによって１個のメダル２００が入る大きさに形成されている。導入部３３５に対応してその上方に導入装置３０４が配置されている。導入装置３０４は、導入部３３５に送出された遊技メダル２００を、立った状態に転換してリフト装置３０３の下部の入口部３０３Ａへ導入する。導入装置３０４は、電動機３３１によって駆動される伝達装置３３２によって、払い出し盤３０２Ａの回転によるメダル２００の払い出し動作と同期して回転する回転軸３０４Ｂと、回転軸３０４Ｂの先端部に固定した作動部材３０４Ａを備えている。作動部材３０４Ａは、基部が回転軸３０４Ｂに固定され、この基部から先端に向けて先細り状の掬い上げ爪状をなし、メダル２００を掬い上げる救い上げ面３０４Ｃが回転軸３０４Ｂから延びる半径上に形成されている。
【００５５】
導入部３３５に入ったメダル２００は、ここで回転する作動部材３０４Ａによって、導入部３３５からリフト装置３０３の下部の入口部３０３Ａへ向けて湾曲した誘導面３３６に沿って押し上げられる。この押し上げに伴って、メダル２００は横に倒れた略水平状態から誘導面３３６に沿って徐々に立ち上がり、リフト装置３０３の下部の入口部３０３Ａへ達したとき、即ち、後述の搬送路３４５の入口部３０３Ａへ達したときには、図１０に示すように略立った状態である。
【００５６】
誘導面３３６は、作動部材３０４Ａを前後で挟む位置に略並行して配置した通路部材３３６Ａで形成されている。通路部材３３６Ａ、３３６Ａ間には、リフト装置３０３の下部の入口部３０３Ａへ向かう溝３３７を形成している。この溝３３７は、誘導面３３６よりも深い位置にあり、作動部材３０４Ａの先端がこの溝３３７に入り込んで回転することにより、メダル２００の端部を良好に押し出すことができる。
【００５７】
各通路部材３３６Ａの誘導面３３６に対向して上方にカバー３３８が設けられ、誘導面３３６とカバー３３８との間に、リフト装置３０３の下部の入口部３０３Ａへ向かうメダル移送通路ＭＨが形成される。このカバー３３８によって、リフト装置３０３の下部の入口部３０３Ａへ作動部材３０４Ａによって押し出されるメダル２００の浮き上がりが抑制される。誘導面３３６とカバー３３８との間のメダル移送通路ＭＨは、リフト装置３０３の下部の入口部３０３Ａへ向かって湾曲した通路であり、この湾曲した通路の後に通路壁３３９Ｂを備えて、メダル２００の安定移送を確保している。
【００５８】
リフト装置３０３は、遊技メダル２００の直径よりも大でその直径の２倍よりも小さいピッチの突状螺旋３４１を外面に形成した直線状の螺旋体３４０と、この螺旋体３４０を収納する収納筒３４３を備えており、遊技メダル２００が、突状螺旋３４１間で立って突状螺旋３４１に乗った状態で、螺旋体３４０の回転によって上方へメダル２００を搬送する仕組みである。この収納筒３４３は、後半部は螺旋体３４０の回転直径（突状螺旋３４１が回転するときの直径に相当）に沿う内面を形成し、前半部は並行した左右側壁３４３Ａ間に収納筒３４３の長さ方向の開口３４３Ｂを形成している。この左右側壁３４３Ａの前端面との間に１枚の遊技メダル２００が立った状態で上方へ移動可能な間隔３４５Ａを保つ案内溝を形成するように、案内壁３４２が開口３４３Ｂを塞ぐ状態で収納筒３４３に取り付けられている。これによって、螺旋体３４０と案内壁３４２との間には、遊技メダル２００の左右両側が間隔３４５Ａの案内溝に入り込んだ状態の搬送路３４５が形成される。
【００５９】
搬送路３４５の下端はリフト装置３０３の下部の入口部３０３Ａに連通し、搬送路３４５の上端はメダル案内シュート３５０のメダル通路ＭＤに連通している。この構成によって、突状螺旋３４１に立った状態で乗った遊技メダル２００は、遊技メダル２００の裏面が左右側壁３４３Ａの前端面によって支えられ、遊技メダル２００の表面が案内壁３４２によって支えられる関係によって、搬送路３４５に保持されている。このため、螺旋体３４０が回転しても遊技メダル２００は、その方向に回転せず、螺旋体３４０の回転に伴って搬送路３４５を上方へ直線状に搬送される。
【００６０】
上記の構成において、リフト装置３０３の下部の入口部３０３Ａへ達した遊技メダル２００は、螺旋体３４０の回転によって、突状螺旋３４１の最下段によって、遊技メダル２００の下側が掬い取られる。その掬い取られた遊技メダル２００は、突状螺旋３４１に立った状態で乗り、螺旋体３４０と案内壁３４２との間を搬送路３４５に立った状態で、直立状態の収納筒３４３に沿って直線状に上方へ搬送される。
【００６１】
上記のように、搬送路３４５の形成は、収納筒３４３の開口した一面において、螺旋体３４０の回転に伴って遊技メダル２００が螺旋体３４０の回転方向へ回転せずに、螺旋体３４０の長さ方向に実質的な直線状の搬送路３４５の構成であればよいため、上記構成に拘束されない。このため、収納筒３４３は案内壁３４２を一体形成したものでもよいが、組み立てや内部の修理点検等を考慮すれば、上記のように、収納筒３４３の一面が開放された形態とし、この開放部３４３Ｂを塞ぐように、別体の案内壁３４２を収納筒３４３に取外し可能又は開閉可能に取り付ける構成が好ましい。
【００６２】
リフト装置３０３は、その中の搬送路３４５を搬送される遊技メダル２００を外部から透視できるようにするために、収納筒３４３全体又は案内壁３４２を透視可能な合成樹脂製資材にて構成することにより、遊技メダル２００の搬送状態や、内部の故障状態等を外部から目視確認でき、点検に便利である。
【００６３】
リフト装置３０３の螺旋体３４０は、上端部の軸が収納筒３４３に設けた上部軸受け３４６Ａに支持され、下端部の軸３４０Ａが、ベース板３１５に設けた下部軸受け３４６Ｂに支持されている。螺旋体３４０は、電動機３３１によって駆動される伝達装置３３２によって、下端部の軸３４０Ａが回転することにより、一方向へ回転する。そして、この螺旋体３４０は、導入装置３０４の作動部材３０４Ａの回転によるメダル２００の導入動作と同期して回転するように構成されている。このため、一つの電動機３３１によって、払い出し盤３０２Ａの回転と、作動部材３０４Ａの回転と、螺旋体３４０の回転が同期して行われるように伝達装置３３２によって駆動されるため、払い出し盤３０２Ａの回転と、作動部材３０４Ａの回転と、螺旋体３４０の回転をそれぞれの電動機によって駆動する場合に比して、同期がとり易く、電装部３０の制御回路も簡素化され、電動機も少なくて済む等の効果がある。
【００６４】
リフト装置３０３の螺旋体３４０の回転（図６に示す矢印Ｒ方向回転）によって、遊技メダル２００は搬送路３４５を直線状に上方へ搬送され、この遊技メダル２００は、リフト装置３０３の上端部に設けたメダル出口３０３Ｂから螺旋体３４０によって押し出される。この押し出された遊技メダル２００が、遊技機１のメダル投入部２５へ導入されるようにするために、メダル出口３０３Ｂにはメダル案内シュート３５０が連結されている。このため、リフト装置３０３によって上方へ搬送されたメダル２００は、順次メダル案内シュート３５０から遊技機１のメダル投入部２５へ導入され、遊技機１での遊技が可能となる。
【００６５】
メダル案内シュート３５０は、貸機２内に配置されるリフト装置３０３のメダル出口３０３Ｂに基部が接続された合成樹脂製の第１案内シュート（第１案内樋ともいう）３５１と、貸機２の前面側へ延出した第１案内シュート３５１の先端に接続された合成樹脂製の第２案内シュート（第２案内樋ともいう）３５３とを備えている。この第２案内シュート３５３は、第１案内シュート３５１に対して少なくとも左右に回動可能である。実施例では使用上での便利性と保守等を考慮して、第２案内シュート３５３は、第１案内シュート３５１に対して上下と左右に回動可能である。
【００６６】
以下に、案内シュート（又はメダル案内樋という）３５０の具体的な構成について説明する。第１案内シュート３５１は、リフト装置３０３の収納筒３４３に一端が取り付けられ、メダル通路ＭＤが貸機２の前面板２３の前方へ向けて斜め下方へ延びている。第１案内シュート３５１と第２案内シュート３５３とは、合成樹脂製のメダル方向転換部３５２を介してメダル通路ＭＤが連通している。メダル方向転換部３５２は、第１案内シュート３５１から第２案内シュート３５３へ向けてメダル２００が方向変換する部分であり、遊技メダル２００が立った状態で第１案内シュート３５１から第２案内シュート３５３へ移動するようにメダル通路ＭＤが構成されている。
【００６７】
次に、メダル方向転換部３５２の構成を説明する。メダル方向転換部３５２は、第１案内シュート３５１の先端部に形成した上面開口の上下方向の筒部３５４内に形成されている。メダル方向転換部３５２は、筒部３５４と、この筒部３５４内に嵌合する上面開口の合成樹脂製筒状の通路変換部材３５５によって形成されている。通路変換部材３５５は、第１案内シュート３５１を転動にて移動するメダル２００が上面から進入し下方へ移動する間に、第２案内シュート３５３へ方向転換する構成である。通路変換部材３５５は、その上面開口の上端部に形成した環状鍔３５５Ａが筒部３５４の係止段部３５４Ａに係止状態で保持されている。このため、通路変換部材３５５は、第１案内シュート３５１に対して上方から着脱自在、即ち、筒部３５４に対して上方から着脱自在である。通路変換部材３５５の内径は、遊技メダル２００の直径よりも若干大きく設定されており、通路変換部材３５５の上面開口が遊技メダル２００の進入部３５９Ａであり、下部には直径Ｄ２上に遊技メダル２００の出口部３５９Ｂが設けられている。
【００６８】
通路変換部材３５５の内径は、遊技メダル２００の直径よりも若干大なり寸法（遊技メダル２００の直径よりも大でその直径の１．５倍以下）の筒状をなし、中心方向に向かってそれぞれの頂点が近接するように突出した一対の三角形状の突壁３５６、３５７が、その筒状の縦軸方向に長く形成されている。一対の三角形状の突壁３５６、３５７は、通路変換部材３５５の内径の直径に沿って、それぞれの側面が延長方向において平行状態である。即ち、通路変換部材３５５へ進入する遊技メダル２００の左右の面に対面する側の突壁３５６の側面３５６Ａと突壁３５７の側面３５７Ａ（図では通路変換部材３５５の一つの直径Ｄ１に沿った側面）とが、その延長線上において平面視でＳ１の間隔を存して略平行状態である。また、出口部３５９Ｂへ入る遊技メダル２００の左右の面に対面する側の突壁３５６の側面３５６Ｂと突壁３５７の側面３５７Ｂ（図では通路変換部材３５５の一つの直径Ｄ２に沿った側面）とが、その延長線上において平面視でＳ２の間隔を存して平行状態である。
【００６９】
このＳ１、Ｓ２は、遊技メダル２００の厚さよりも若干大きく、その厚さの２倍未満であり、Ｓ１とＳ２が同じ場合と、Ｓ１とＳ２が等しくない場合がある。これは、図示のように、遊技メダル２００が進入部３５９Ａへ進入するとき、遊技メダル２００の進入方向が、直径Ｄ１に沿って突壁３５６の一方の面３５６Ａと突壁３５７の一方の面３５７Ａに平行である場合にも、遊技メダル２００の進入と出口部３５９Ｂからの送出が妨げられないようにするためである。この場合、遊技メダル２００の厚さ方向に対応する出口部３５９Ｂの幅Ｇ２は、間隔Ｓ２と同等に形成することにより、出口部３５９Ｂにおいて、遊技メダル２００の移動の邪魔となる段部がない状態となり、好ましい。
【００７０】
一対の三角形状の突壁３５６、３５７で区切られた通路変換部材３５５の内側には、通路変換部材３５５の面に沿って、進入部３５９Ａ側から出口部３５９Ｂに向かって徐々に下降傾斜した作動面３５８Ａ、３５８Ｂが、側面視で相互に交差する向きに形成されている。進入部３５９Ａは、第１案内シュート３５１のメダル通路ＭＤに連通し、出口部３５９Ｂは、第２案内シュート３５３のメダル通路ＭＤに連通している。
【００７１】
この構成によって、第１案内シュート３５１のメダル通路ＭＤを立った状態で転がる遊技メダル２００は、進入部３５９Ａから一対の三角形状の突壁３５６、３５７の頂点間に進入する。この進入方向は、例えば、直径Ｄ１に沿った方向や、直径Ｄ３に沿った方向である。直径Ｄ１に沿って進入した遊技メダル２００は、作動面３５８Ａ、３５８Ｂの頂部付近に衝突するが、直径Ｄ３に沿って進入した遊技メダル２００は、作動面３５８Ａ、３５８Ｂの中間部分に衝突するようになる。図１８と図１９に示すものは、遊技メダル２００が進入部３５９Ａへ進入する向きは、直径Ｄ１に沿った突壁３５６の一方の面３５６Ａと突壁３５７の一方の面３５７Ａに略平行である。このように、第１案内シュート３５１のメダル通路ＭＤが進入部３５９Ａに連通する組み合わせである。
【００７２】
いずれの場合も、進入した遊技メダル２００は、進入した遊技メダル２００は、立った状態で作動面３５８Ａ、３５８Ｂに衝突した後、立った状態のままで一対の三角形状の突壁３５６、３５７の頂点間を中心として、作動面３５８Ａ、３５８Ｂに沿って矢印Ｙ方向へ回転しつつ降下する。この動作によって、遊技メダル２００の向きは、出口部３５９Ｂの真上に変換されるため、出口部３５９Ｂから第２案内シュート３５３のメダル通路ＭＤに立ったままで移動する。このようにして、第１案内シュート３５１のメダル通路ＭＤを立った状態で転がる遊技メダル２００は、通路変換部材３５５内で立った状態で方向転換されて、出口部３５９Ｂから第２案内シュート３５３のメダル通路ＭＤを立ったままで移動することができる。
【００７３】
次に、第２案内シュート３５３が第１案内シュート３５１に対して、上下及び左右に回動可能である構成について説明する。通路変換部材３５５から下方へ延びた支持部３５５Ａに、第２案内シュート３５３の上流側の支持部３５３Ａが軸支持部３７０で上下回動可能に支持されている。この軸支持部３７０にはバネが設けられ、このバネによって第２案内シュート３５３は、一点鎖線のように下方に傾くように付勢された状態である。通路変換部材３５５から下方へ延びた支持部３５５Ａは、第１案内シュート３５１に取り付けた支持板３７１の水平部から上方へ突出した軸３７２によって左右に回動可能に支持されている。これによって、第２案内シュート３５３は、軸支持部３７０で通路変換部材３５５と一体化されるため、第２案内シュート３５３を左右に回動させることによって、支持部３５５Ａと共に通路変換部材３５５がメダル方向転換部３５２の筒部３５４内で左右に回動する。このように、第２案内シュート３５３は、第１案内シュート３５１に対して上下及び左右に回動可能である。
【００７４】
第１案内シュート３５１に対して第２案内シュート３５３を左右方向に回動して、メダル２００が送出される第２案内シュート３５３の先端部が、遊技機１のメダル投入部２５の所定位置になるようにセットする。このため、支持板３７１の水平部には、板状の案内シュート固定基部３６０が取り付けられ、案内シュート固定基部３６０には、上方へＶ字状に広がった溝３６０Ａが形成されている。第２案内シュート３５３の下側には、溝３６０Ａに嵌合するように溝３６０Ａと略同形状の嵌合部３６１が形成されている。案内シュート固定基部３６０は、支持板３７１を折り曲げにて一体形成することもできる。
【００７５】
この構成において、例えば、前記バネに抗して第２案内シュート３５３の先端部を持って上方に回動させた状態で、第２案内シュート３５３の先端部が遊技機１のメダル投入部２５の上方に位置するように横に回動させる。この状態で、第２案内シュート３５３の持ち上げ力を解除することによって、前記バネ力によって第２案内シュート３５３の先端部が下降し、嵌合部３６１が溝３６０Ａに嵌合して第２案内シュート３５３が保持される。この保持によって、第２案内シュート３５３の先端部は、上方から遊技機１のメダル投入部２５に近接状態で臨む所定の正規位置にセット状態となる。このため、嵌合部３６１と溝３６０Ａの関係は、第２案内シュート３５３の先端部を遊技機１のメダル投入部２５の所定位置にセットするメダル案内シュートの位置決め装置３６５を構成する。
【００７６】
また、遊技機１に貸機２を併設するとき、メダル案内シュート３５０内を点検修理するとき、メダル案内シュート３５０内に詰まった遊技メダル２００を取り除くとき、更にはその他の場合において、上記セット状態から第２案内シュート３５３を外す場合は、上記とは逆に、嵌合部３６１が溝３６０Ａから外れるように、第２案内シュート３５３の先端部を持ち上げ、その状態で、第２案内シュート３５３を貸機２の前方へ回動させることができる。
【００７７】
上記のように、第２案内シュート３５３は、第１案内シュート３５１に対して上下、左右に回動可能であるため、遊技機１と貸機２を併設した設置状態において、第２案内シュート３５３を回動して、第２案内シュート３５３のメダル出口となるその先端部３５３Ａが上方から遊技機１のメダル投入部２５に近接する位置へ臨むようにセットされる。このセット状態において、案内シュート３５０から供給される遊技メダル２００を遊技機１のメダル投入部２５へ的確に導入できることとなる。そして、遊技機１や貸機２の点検や修理等に際しては、案内シュート３５０の先端部３５３Ａがメダル投入部２５から離れるように、第２案内シュート３５３を貸機２の前面側へ回動することにより、その点検や修理等の作業がし易くなるものである。なお、第１案内シュート３５１の基部が、リフト装置３０３の上端部に対して上下と左右に回動可能に構成しても、同様の効果を奏する。
【００７８】
メダル案内シュート３５０の第２案内シュート３５３を回動して、嵌合部３６１が溝３６０Ａに嵌合した状態で、第２案内シュート３５３のメダル出口となる先端部３５３Ａが、上方から遊技機１のメダル投入部２５に近接する位置へ臨むようにセットされるが、遊技機１の機種によってメダル投入口２５の形状や向きが異なるため、メダル出口３５３Ａが、遊技機１のメダル投入部２５に対して正規の状態とならない場合がある。本発明では、メダル投入口２５の向きが異なる機種に対しても、容易に対応できるようにするものである。
【００７９】
そのため、メダル案内シュート３５０のうち、第２案内シュート３５３の先端部には、平面視で内面が円形状または円弧状をなす円筒形状または略円筒形状の保持部３５３Ｑが設けられている。保持部３５３Ｑには、その内側にメダル出口３５３Ａを備えた出口部材３５３Ｐが左右回動可能に組み合わされている。以下、メダル案内シュートの先端の保持部３５３Ｑにメダル出口３５３Ａを備えた出口部材３５３Ｐを正規位置に位置決めする位置決め装置の構成を図２５乃至図２７に基づき説明する。
【００８０】
出口部材３５３Ｐと保持部３５３Ｑは合成樹脂製であり、互いのメダル通路ＭＤが連通状態で中央部において回転可能に嵌合部８０４を形成し、周縁部では、出口部材３５３Ｐの上部から横へ突出した板部８０９の先端に形成したスライドピース部８０５が、保持部３５３Ｑの周囲壁に形成した横方向のスライド溝８０６に嵌まり合っている。これによって、出口部材３５３Ｐは、保持部３５３Ｑに対して嵌合部８０４を中心として回動可能であり、この回動によってスライドピース部８０５が、保持部３５３Ｑのスライド溝８０６を横にスライドする。
【００８１】
保持部３５３Ｑの上壁８０７と出口部材３５３Ｐの上部板部（スライドピース部８０５の基部）を縦方向に貫通する合成樹脂製のロック部材８００を備えている。ロック部材８００が貫通する保持部３５３Ｑの上壁８０７には、ロック部材８００と略同じ形状の大きさの貫通孔８０８が形成されている。また、ロック部材８００が貫通する出口部材３５３Ｐの上部板部８０９には、半径方向の幅がロック部材８００の幅と略同じ形状であって、円周方向に長い貫通孔８１０が形成されている。
【００８２】
ロック部材８００とロック部材８００が貫通する出口部材３５３Ｐの相対するそれぞれの面、即ち、図示のものは、ロック部材８００の外側面と、貫通孔８１０の外側面に、相互に嵌合し合う複数の縦方向筋８０１と８０２をそれぞれ形成している。縦方向筋８０１と８０２は、横断平面形状がそれぞれ山形を形成しており、図２５に示すように、ロック部材８００の第１位置である上昇位置では、縦方向筋８０１と８０２の嵌合が解除した離れた状態である。また、図２６に示すように、ロック部材８００の第２位置であるロック部材８００の下降位置では、縦方向筋８０１と８０２が相互に嵌合した状態となる。このように、ロック部材８００の下降位置では、出口部材３５３Ｐが保持部３５３Ｑに固定されて、左右の回動が抑制された位置決め状態である。
【００８３】
ロック部材８００は、縦方向筋８０１が形成された作動部８００Ａの上端に操作部８００Ｂが横方向に延びている。保持部３５３Ｑの周囲壁の上端部には、ロック部材８００の左右両側面が案内されてロック部材８００が下降位置へ移動できる切り欠き８１１が形成されている。縦方向筋８０１が縦方向筋８０２に噛み合うように、ロック部材８００が下降位置へ移動したとき、操作部８００Ｂの前部が切り欠き８１１の底に当接すると共に、操作部８００Ｂの後部が保持部３５３Ｑの上壁のストッパ部８１２に当接して、ロック部材８００が正規の下降位置に保持されるようになる。操作部８００Ｂに指を掛けてロック部材８００を上昇位置へ引き上げるとき、作動部８００Ａの下端に形成した係止部８１３が、出口部材３５３Ｐの上部板部８０９の下側面に係止して、ロック部材８００の引き上げが停止する。ロック部材８００は、引き上げた上昇位置において、作動部８００Ａと貫通孔８０８との摩擦、及び操作部８００Ｂと切り欠き８１１の左右側壁との摩擦等によって、その上昇位置を保持する。
【００８４】
このような構成によって、嵌合部３６１が溝３６０Ａに嵌合して、第２案内シュート３５３のメダル出口となる先端部３５３Ａが、上方から遊技機１のメダル投入部２５に近接する位置へ臨むようにセットするとき、ロック部材８００を第１位置である上昇位置とした状態で、出口部材３５３Ｐに対して保持部３５３Ｑを回動させることによって、メダル出口３５３Ａがメダル投入部２５に正規の状態にきちっと対応するように操作できる。そして、その正規対応位置において、操作部８００Ｂを指で下方へ押して、ロック部材８００を下降位置に押し込むことによって、縦方向筋８０１と８０２が相互に嵌合して、出口部材３５３Ｐが保持部３５３Ｑに固定されて、左右の回動が抑制された状態となり、メダル出口３５３Ａがメダル投入部２５の正規位置に対応した状態を保持できる。
【００８５】
上記では、縦方向筋８０１と８０２をロック部材８００の外側面と、貫通孔８１０の外側面に相互に嵌合し合うように形成したが、これに代わって、縦方向筋８０１と８０２をロック部材８００の内側面と、貫通孔８１０の内側面に相互に嵌合し合うように形成した構成でもよい。
【００８６】
メダル案内シュート３５０を透明な合成樹脂製とすることにより、内部を通過する遊技メダル２００の状況を把握でき、点検や修理がし易くなる。接続部３５２は比較的短いため不透明でもよいが、比較的長い第２案内シュート３５３を透明にすることによって、遊技者がメダルの供給状態を把握でき、遊技者に安心感を与える意味で有効である。
【００８７】
メダル方向転換部３５２は、上面のメダル進入部３５９Ａが開閉可能に合成樹脂製の開閉カバー６００で覆われている。開閉カバー６００は、第１案内シュート３５１のメダル通路ＭＤを転動する遊技メダル２００をメダル方向転換部３５２の進入部３５９Ａへ導くように、メダル通路ＭＤに連続するメダル案内通路ＭＤ１を形成している。そして、開閉カバー６００は、第１案内シュート３５１の上部でメダル通路ＭＤの側壁に軸支持部６０１によって上下に回動可能に支持されている。開閉カバー６００が、メダル方向転換部３５２に正規の位置で閉じるようにセットされるために、開閉カバー６００とメダル方向転換部３５２の前面側には、位置決め部６０２が設けられ、開閉カバー６００とメダル方向転換部３５２の側面側には、係合部６０３が設けられている。
【００８８】
位置決め部６０２は、メダル方向転換部３５２の突起６０２Ａが開閉カバー６００の窪み６０２Ｂに嵌合する関係であるが、メダル方向転換部３５２に窪み６０２Ｂを形成し、開閉カバー６００にそれに嵌合する突起６０２Ａを形成した構成でもよい。また、係合部６０３は、開閉カバー６００の弾性フック６０３Ａがメダル方向転換部３５２の孔６０３Ｂに着脱自在に弾性嵌合する関係であり、係合部６０３と開閉カバー６００の弾性フック６０３Ａとで、弾性係止部を構成している。このため、メダル方向転換部３５２に弾性フック６０３Ａを形成し、それに嵌合する孔６０３Ｂを開閉カバー６００に形成した構成でもよい。
【００８９】
このような構成によって、開閉カバー６００が、第１案内シュート３５１を転動する遊技メダル２００をメダル方向転換部３５２の進入部３５９Ａへ安定に導くことができる。そして、メダル方向転換部３５２内に遊技メダル２００が詰まったときや、メダル方向転換部３５２内の清掃等に際して、孔６０３Ｂから弾性フック６０３Ａを押し外して、開閉カバー６００を上方へ回動させることにより、メダル方向転換部３５２に詰まった遊技メダル２００の取り除きや、メダル方向転換部３５２内の清掃が可能となる。
【００９０】
また、第１案内シュート３５１と開閉カバー６００は、第１案内シュート３５１の左右側壁下端部に弾性係止する爪６０９Ａを備えた着脱自在なカバー６０９によって覆われている。第１案内シュート３５１のメダル通路ＭＤの側壁は、遊技メダル２００の直径よりも低く半径よりも高い位置にあって、メダル通路ＭＤは上面が開放している。このため、カバー６０９によって、メダル通路ＭＤの上方が覆われており、万一の場合に、遊技メダル２００がメダル通路ＭＤを飛び出さない状態に保つ位置にある。そして、カバー６０９を取り外すことによって、第１案内シュート３５１のメダル通路ＭＤの上面が開放されるため、メダル通路ＭＤに詰まったメダルの取り除きや、メダル通路ＭＤの点検等がし易くなる。また、開閉カバー６００を開くことによって、メダル方向転換部３５２に詰まったメダル２００の取り除きや、メダル方向転換部３５２内の清掃が可能となる。
【００９１】
メダル方向転換部３５２と第２案内シュート３５３との連結部は、外観デザインと安全性など保護のために、第２案内シュート３５３と共に回動する円弧状のカバー６０８Ａで覆われている。また、第１案内シュート３５１に取付けた支持板３７１と、軸支持部３７０と、軸３７２の後側と右側面側は、後壁と右側壁を有するカバー６０８Ｂによって覆われている。カバー６０８Ｂは支持板３７１に取付けられている。カバー６０８Ｂの右側壁部分は、カバー６０８Ａの内側に沿った円弧状をなしており、第２案内シュート３５３を貸機２の前面側へ回動させた状態では、カバー６０８Ａの内側に隠れる状態となる。そして、第２案内シュート３５３の先端部３５３Ａが、遊技機１のメダル投入部２５に対する正規位置にセットされた状態で、カバー６０８Ａとカバー６０８Ｂが共同して、支持板３７１と、軸支持部３７０と、軸３７２の前側、右側面側及び後側を覆い、左側面側に第２案内シュート３５３が延びた状態である。
【００９２】
第２案内シュート３５３のメダル通路ＭＤは、このメダル通路ＭＤを転動する遊技メダル２００の上部が外部から透視可能なように、上部が透明な資材で構成された透視カバー部３５３Ｂで覆われている。これによって、遊技者は、この透視部３５３Ｂを遊技メダル２００が通過することを確認することにより、メダル移送装置３００が稼動していることを確認でき、安心できるものとなる。透視カバー部３５３Ｂは、第２案内シュート３５３の上部に軸部３５３Ｂ１によって、第２案内シュート３５３に対して上方へ開閉可能であるため、第２案内シュート３５３のメダル通路ＭＤに詰ったメダルの取り除きや、第２案内シュート３５３のメダル通路ＭＤの清掃等に便利である。
【００９３】
また、送出装置３０２には、送出作動体３２２の回動した位置を検出する検出部３２５がベース板３１５に設けられ、メダル２００の払い出しごとにこの検出部３２５が動作する。この検出部３２５は、送出作動体３２２によってＯＮ・ＯＦＦする接点を有するスイッチ、送出作動体３２２に設けた磁石によってＯＮ・ＯＦＦ作動する無接点式の近接スイッチ、又は発光部と受光部を有する光センサのような無接触式のセンサであってもよい。実施例では、送出作動体３２２がメダル２００の送出に伴って発光部から受光部への光通路を遮ることを検知する光センサで構成している。
【００９４】
上記のように、電動機３３１をＯＮしてメダル収容部３０１内のメダル２００をリフト装置３０３によって、遊技機１のメダル投入部２５へ向けて搬送する。送出装置３０２から送出されるメダル２００の枚数が、この検知部３２５によって検出され、前記電装部３０の制御部の電気回路に備えたカウンタ部によってカウントされる。そして、このカウンタ部のカウント枚数が所定の上限枚数、例えば５０枚に達したとき、電動機３３１をＯＦＦしてメダル２００の搬送を停止する。そして、遊技者が遊技操作（スタートレバー１Ａとストップボタン１Ｂを操作する行為）をする度に使用されるメダル数がこのカウンタ部から減算される。このカウンタ部の現在のカウント枚数は、その都度、遊技機１の前面に設けた表示部に表示される。遊技者がメダル２００を使用して遊技機１のスタートレバー１Ａを操作することにより、このカウント枚数が減少して、遊技機１の前面に設けた表示部の表示が５０から減少する。このカウント枚数が所定の下限枚数、例えば２５枚に減少したとき、上記同様に、前記電装部３０の制御部の動作に基づき、電動機３３１をＯＮしてメダル収容部３０１内のメダル２００をリフト装置３０３によって、遊技機１のメダル受け入れ部２５へ向けて搬送する。この搬送によって前記カウンタ部のカウント枚数が所定の上限枚数、例えば５０枚に達したとき、電動機３３１をＯＦＦしてメダル２００の搬送を停止する。このような動作が遊技操作の継続によって繰り返される。
【００９５】
検出部３２５の信号を前記電装部３０の制御部に入力し、この検出部３２５が検出したときから所定時間、例えば６秒経過しても次のメダル２００が検出部３２５で検出されない場合は、メダル２００切れと判断して、送出装置３０２の電動機３３１の運転を停止するようにＯＦＦする構成である。前記所定時間、例えば６秒は、送出装置３０２から払い出された最後のメダル２００が、リフト装置３０３の搬送によって遊技機１のメダル受け入れ部２５へ導入されることを確保する時間である。
【００９６】
上記によって前記所定時間（６秒）が経過したとき電動機３３１がＯＦＦするが、遊技者による遊技操作によってメダルが使われ、前記カウント部のカウントン枚数が遊技不可能なゼロになると、前記制御部によって遊技ができない状態となり、その表示が遊技機１の表示部又は表示器１７に表示される。この場合、新たに紙幣等の薄片１００を挿入口１２へ挿入することにより、その価値に見合う枚数のメダル２００が、メダル払い出し装置２１から払い出されて、メダル収容部３０１へ供給され、上記同様にしてリフト装置３０３によって遊技機１のメダル投入部２５へ搬送されるため、上記同様に次の遊技操作が可能となる。
【００９７】
遊技機１から払い出される入賞時のメダル２００は、遊技機１の前面のメダル受け皿１Ｄに払い出されるため、このメダルを使用して継続して遊技することができる。この場合は、遊技者は、メダル受け皿１Ｄ内の遊技メダル２００を取り出して、前面受け入れ部３０５Ａからメダル収容部３０１へ挿入した後、このメダル２００を使って遊技することができる。このために、上記のように遊技開始用の手動スイッチ装置３０６が貸機２の前面側に設けられている。この手動スイッチ３０６のＯＮによって送出装置３０２の電動機３３１とリフト装置３０３の螺旋体３４０が同期回転して、前述同様に、メダル収容部３０１内のメダル２００が導入装置３０４によって、遊技メダル２００を立った状態に転換してリフト装置３０３の下部の入口部３０３Ａへ導入され、リフト装置３０３によって上方へ搬送されて、リフト装置３０３の上端部からメダル案内シュート３５０を通して遊技機１のメダル投入部２５へ導入される。これによって、次の遊技操作が可能となる。
【００９８】
上記のように、遊技者が遊技機１で遊技する場合、遊技メダル貸機２の薄片挿入口１１へ、例えば１０００円紙幣を挿入すると、それを薄片識別装置１０で識別し、その１０００円紙幣が真正紙幣である場合は、それに見合う数、例えば５０枚の円盤状のメダル２００を制御部の動作に基づき払い出すように遊技メダル供給部２０が動作する。遊技メダル供給部２０から払い出されたメダル２００は、メダル収容部３０１に入り、この収容部３０１の底部に設けられた送出装置３０２から１枚ずつ排出され、それが導入装置３０４及びリフト装置３０３によって上方へ搬送されて、メダル案内シュート３５０を通って遊技機１のメダル投入部２５へ導入（投入）される。
【００９９】
このメダル投入部２５へのメダル２００の導入によって、遊技機１がパチスロ機の場合は、メダル投入口２５に遊技に必要な最低１枚のメダル２００が投入された状態において、スタートレバー１Ａを操作することにより、３個のリール１Ｃが回転する。この状態でタイミングを見て３個のストップボタン１Ｂを押すことにより、リール１Ｃが順次停止し、表面に表示された各リール１Ｃの図柄や数字の組み合わせに応じて入賞メダルが、払い出し口からメダル受け皿１Ｄに払い出され、このメダルをメダル収容部３０１へ移し替えることにより、リフト装置３０３によって自動的に遊技機１のメダル投入口へ導入することができる。
【０１００】
メダル投入部２５へ投入されたメダル２００は、遊技メダル貸機２のメダル払い出し部２０に設けたメダル収納部２２へ導入されるように構成してもよい。また、一旦各遊技機１から回収して遊技場の一部に設けた集合部に集め、各遊技メダル貸機２のメダル収納部２２内にはメダル数の不足状態を検知スイッチで検知するようにし、この検知スイッチがメダルの不足状態を検知したとき、その不足したメダル収納部２２内に前記集合部からメダルを補充するように構成してもよい。
【０１０１】
上記では、遊技機１から払い出される入賞時のメダル２００は、遊技機１の前面のメダル受け皿１Ｄに払い出されるが、これに代わって、入賞時のメダル２００はメダル払い出し装置２１から払い出されるように制御部の制御回路を構成することもできる。この場合、メダル払い出し装置２１から払い出された入賞時のメダル２００は、メダル収容部３０１へ供給され、上記同様にしてリフト装置３０３によって遊技機１のメダル投入部２５へ搬送することができるため、次の遊技操作が可能となる。この場合、メダル払い出し装置２１から払い出された入賞時のメダル２００数は、表示器１７に表示される。一方、前記カウンタ部の現在のカウント枚数は、この入賞メダル数を加算した数が遊技機１の表示部に表示される。
【０１０２】
メダル収容部３０１の組み立て及び分解のし易さと、メダル収容部３０１の底部に配置した送出装置３０２の払い出し盤３０２Ａ部分の点検や修理等のし易さのために、保持装置３８０によってメダル収容部３０１は取外し自在である。メダル収容部３０１は、第１容器部３０１Ａがベース板３１５の上面に形成した円形状の突壁３１６の内側に嵌合した状態で、ベース板３１５上に保持装置３７０によって保持される。その構成は、メダル収容部３０１がベース板３１５の所定位置に組み立てられた状態では、リフト装置３０３の側面に取り付けた合成樹脂製の弾性係止片３８１の係止孔３８１Ｂに、メダル収容部３０１の側面に設けた係止突部３８２が嵌り込んで係止され、メダル収容部３０１がリフト装置３０３の所定の正規位置に保持されている。
【０１０３】
メダル収容部３０１をリフト装置３０３から取り外す場合は、弾性係止片３８１のレバー３８１Ａを押し圧して、弾性係止片３８１と係止突部３８２との係合を外した状態で、メダル収容部３０１を第１容器部３０１Ａと前面受け入れ部３０５（第２容器部３０１Ｂ）と共に、円形状の突壁３１６の周りに回転させ（図２で時計方向へ回転）、この状態でメダル収容部３０１は、第１容器部３０１Ａと第２容器部３０１Ｂと共に円形状の突壁３１６から上方へ取り外すことができる。この取外しによって、図７のように送出装置３０２の払い出し盤３０２Ａ部分が露出する状態となる。
【０１０４】
貸機２のメダル移送装置３００によって移送されるメダル２００が、貸機２の前方へ延びたメダル案内シュート（又はメダル案内樋という）３５０によって遊技機１のメダル投入口２５へ導入される。このため、案内シュート（又はメダル案内樋という）３５０の先端と遊技機１のメダル投入口２５とを整合させるために、貸機２は、遊技機１よりも若干後方位置にある。そして、遊技機１のメダル受け皿１Ｄに払い出された入賞メダル２００を貸機２の前面受け入れ部３０５へ移し替え易いようにするために、前面受け入れ部３０５は、遊技機１のメダル受け皿１Ｄと近接配置されている。なお、前面受け入れ部３０５とメダル受け皿１Ｄが、略同一平面上に配置され、更にこの両者が横並びであれば、メダル受け皿１Ｄに払い出された入賞メダル２００を貸機２の前面受け入れ部３０５へ移し替え易い状態となる。
【０１０５】
上記の実施例では、遊技メダル貸機２の薄片挿入口１１へ、例えば１０００円紙幣を挿入すると、それを薄片識別装置１０で識別し、その１０００円紙幣が真正紙幣である場合は、それに見合う規定数、例えば５０枚の円盤状のメダル２００を制御部の動作に基づき払い出すように遊技メダル供給部２０が動作する。遊技メダル供給部２０から払い出されたメダル２００は、メダル収容部３０１に入る。メダル移送装置３００の駆動部は、電装部３０の制御部の動作によって、遊技メダル供給部２０の動作と共にＯＮ（運転）するため、メダル払い出し装置２１から払い出されてメダル収容部３０１に入るメダル２００は、メダル移送装置３００の駆動によって、遊技機１のメダル投入口２５へ搬送される。
【０１０６】
また、遊技機１のメダル受け皿１Ｄに払い出される入賞メダルを、前面受け入れ部３０５からメダル収容部３０１へ挿入（投入）した後、手動スイッチ装置３０６をＯＮさせることにより、メダル移送装置３００が始動して、メダル収容部３０１内のメダル２００が遊技機１のメダル投入口２５へ搬送される。そして、送出装置３０２から最後のメダル２００が送出されて所定時間（上記では６秒）経過後に、送出装置３０２を含むメダル移送装置３００の動作を停止する仕組みである。
【０１０７】
上記では、遊技メダル供給部２０とメダル移送装置３００等の制御は、電装部３０の制御部で行っているが、この制御部は、貸機２やその他の箇所に設けた制御部で行ってもよい。
【産業上の利用可能性】
【０１０８】
本発明は、上記実施形態に限定されず、本発明の技術的範囲を逸脱しない限り種々の変更が考えられ、それに係る種種の実施形態を包含するものである。
【図面の簡単な説明】
【０１０９】
【図１】本発明に係る遊技メダル貸機と遊技機の併設状態を示す正面図である。（実施例１）
【図２】本発明に係るメダル移送装置が遊技メダル貸機に組み込まれた状態を説明する正面斜視図である。（実施例１）
【図３】両島タイプの遊技装置における搬送装置の配置平面図である。（実施例１）
【図４】搬送ユニットを接続した状態の正面図である。（実施例１）
【図５】本発明に係るメダル案内シュートの先端部分の斜視図である。（実施例１）
【図６】本発明に係るメダル移送装置と遊技機との関係を示す側面図である。（実施例１）
【図７】本発明に係るメダル移送装置のメダル収容部を取り外した状態の上面斜視図である。（実施例１）
【図８】本発明に係るメダル移送装置のメダル導入装置がメダルを押し上げる前の状態を示す斜視図である。（実施例１）
【図９】本発明に係るメダル移送装置のメダル導入装置がメダルを押し上げ始める状態を示す斜視図である。（実施例１）
【図１０】本発明に係るメダル移送装置のメダル導入装置がメダルを押し上げてリフト装置へ導入した状態を示す斜視図である。（実施例１）
【図１１】本発明に係るメダル移送装置の構成を示す横断平面図である。（実施例１）
【図１２】本発明に係るメダル移送装置のメダルの導入部と導入装置との関係を示す右側面図である。（実施例１）
【図１３】本発明に係るメダル移送装置のメダル送出装置によるメダル払い出し動作を示す平面図である。（実施例１）
【図１４】本発明に係るメダル移送装置のメダル送出装置の払い出し盤部分の縦断側面図である。（実施例１）
【図１５】本発明に係るメダル移送装置のメダル収容部に設けたメダル姿勢制御部の縦断面図である。（実施例１）
【図１６】本発明に係るメダル移送装置のメダル収容部に設けたメダル姿勢制御部の上面斜視図である。（実施例１）
【図１７】本発明に係るメダル移送装置の電動機装置の伝達装置の説明図である。（実施例１）
【図１８】本発明に係るメダル移送装置のメダル方向転換部の上面斜視図である。（実施例１）
【図１９】本発明に係るメダル移送装置のメダル方向転換部の上面図である。（実施例１）
【図２０】本発明に係るメダル案内シュート部分の斜視図である。（実施例１）
【図２１】本発明に係るメダル案内シュートの位置決め装置の構成を示す断面図である。（実施例１）
【図２２】本発明に係るメダル案内シュートのカバーを取り外した状態の斜視図である。（実施例１）
【図２３】本発明に係るメダル案内シュートの開閉カバーを開いた状態の分解斜視図である。（実施例１）
【図２４】本発明に係る第２案内シュートを支持する部分の構成を示す斜視図である。（実施例１）
【図２５】本発明に係るロック部材が上昇位置にある場合のメダル案内シュートの先端部の縦断面図である。（実施例１）
【図２６】本発明に係るロック部材が下降位置にある場合のメダル案内シュートの先端部の縦断面図である。（実施例１）
【図２７】図２６のＸ−Ｘ断面図である。（実施例１）
【符号の説明】
【０１１０】
１・・・・遊技機
１Ｄ・・・遊技機のメダル受け皿
２・・・・遊技メダル貸機
３・・・・薄片導入装置
５・・・・搬送装置
１０・・・薄片識別装置
１１・・・薄片挿入口
１６、２３・・・遊技メダル貸機の前面板
１７・・・表示部
２０・・・・遊技メダル供給部
２１・・・・メダル払い出し装置
２２・・・・メダル収納部
２０Ａ・・・払い出し盤
２５・・・・遊技機のメダル挿入（投入）部
２００・・・メダル
３００・・・メダル移送装置
３０１・・・メダル収容部
３０１Ａ・・第１容器部
３０１Ｂ・・第２容器部
３０２・・・メダル送出装置
３０２Ａ・・払い出し盤
３０３・・・リフト装置
３０３Ｂ・・メダル出口
３０４・・・導入装置
３０４Ａ・・作動部材
３０４Ｂ・・回転軸
３０５・・・前面受け入れ部
３０５Ａ・・前面受け入れ口
３０５Ｂ・・傾斜誘導路
３０６・・・手動スイッチ装置
３０６Ａ・・手動スイッチ装置の操作部
３０７・・・表面板
３０７Ｂ・・基板
３１０・・・上面開口
３１５・・・ベース板
３１６・・・円弧状の突壁
３１７・・・回転軸
３１８・・・メダル分離孔
３１８Ａ・・メダル押し出し面
３１８Ｂ・・案内面
３１９・・・メダル攪拌部
３２０・・・送出案内ピン
３２１・・・固定側送出作動体
３２１Ａ・・ローラ
３２２・・・可動側送出作動体
３２２Ａ・・ローラ
３２３・・・軸支持部
３２４・・・バネ
３２５・・・検出部
３２６・・・メダルの送出口
３３０・・・電動機装置
３３１・・・電動機
３３２・・・伝達装置
３３５・・・導入部
３３６・・・導入面
３３６Ａ・・通路部材
３３７・・・溝
３３８・・・カバー
３４０・・・螺旋体
３４１・・・突状螺旋
３４２・・・案内壁
３４３・・・収納筒
３４３Ａ・・収納筒の左右側壁
３４５・・・搬送路
３４５Ａ・・間隔
３５０・・・メダル案内シュート
３５１・・・第１案内シュート
３５２・・・メダル方向転換部
３５３・・・第２案内シュート
３５３Ｐ・・出口部材
３５３Ｑ・・保持部
３５４・・・筒部
３５５・・・通路変換部材
３５６・・・三角形状の突壁
３５７・・・三角形状の突壁
３５８Ａ・・作動面
３５８Ｂ・・作動面
３５９Ａ・・進入部
３５９Ｂ・・出口部
３６０・・・案内シュート固定基部
３６０Ａ・・Ｖ字状溝
３６１・・・嵌合部
３６５・・・メダル案内シュート位置決め部
３７０・・・軸支持部
３７１・・・支持板
３７２・・・軸
６００・・・開閉カバー
６０１・・・軸支持部
６０２Ａ・・突起
６０２Ｂ・・窪み
６０３Ａ・・弾性フック
６０３Ｂ・・孔
８００・・・ロック部材
８０１・・・ロック部材の縦方向筋
８０２・・・出口部材の縦方向筋
８０３・・・ロックピン
８０３Ａ・・軸部
８０３Ｂ・・鍔
８０３Ｃ・・ロックピンの先端部
８０４・・・嵌合部
８０５・・・スライドピース部
８０６・・・スライド溝
８０７・・・保持部の上壁
８０８・・・保持部の上壁の貫通孔
８０９・・・出口部材の上部板部
８１０・・・出口部材の上部板部の貫通孔
【図１】
2007202602.tif 000003
【図２】
2007202602.tif 000004
【図３】
2007202602.tif 000005
【図４】
2007202602.tif 000006
【図５】
2007202602.tif 000007
【図６】
2007202602.tif 000008
【図７】
2007202602.tif 000009
【図８】
2007202602.tif 000010
【図９】
2007202602.tif 000011
【図１０】
2007202602.tif 000012
【図１１】
2007202602.tif 000013
【図１２】
2007202602.tif 000014
【図１３】
2007202602.tif 000015
【図１４】
2007202602.tif 000016
【図１５】
2007202602.tif 000017
【図１６】
2007202602.tif 000018
【図１７】
2007202602.tif 000019
【図１８】
2007202602.tif 000020
【図１９】
2007202602.tif 000021
【図２０】
2007202602.tif 000022
【図２１】
2007202602.tif 000023
【図２２】
2007202602.tif 000024
【図２３】
2007202602.tif 000025
【図２４】
2007202602.tif 000026
【図２５】
2007202602.tif 000027
【図２６】
2007202602.tif 000028
【図２７】
2007202602.tif 000029